(57)【特許請求の範囲】
【請求項１】
硬質コンタクトレンズの外周縁部に着脱自在に係合しうるリングであって、該リングが軟質材料からなり、該リングの内周部位に前記硬質コンタクトレンズの外周縁部に相当する形状の溝が形成されてなることを特徴とする硬質コンタクトレンズ用リング。
【請求項２】
前記リングにおいて、前記硬質コンタクトレンズの外周縁部前面に係合する上部係合片の長さが該レンズの外周縁部後面に係合する下部係合片の長さよりも短くされてなる請求項１記載の硬質コンタクトレンズ用リング。
【請求項３】
前記溝の底部にポケットが形成されてなる請求項１または２記載の硬質コンタクトレンズ用リング。
【請求項４】
前記軟質材料が、ヒドロキシアルキルアクリレート、ヒドロキシアルキルメタクリレート、Ｎ−ビニルラクタム類、Ｎ，Ｎ−ジアルキルアクリルアミド、およびＮ，Ｎ−ジアルキルメタクリルアミドから選ばれる１種以上の成分の共重合体である請求項１記載の硬質コンタクトレンズ用リング。
【請求項５】
前記軟質材料が架橋された多糖類である請求項１記載の硬質コンタクトレンズ用リング。
【請求項６】
前記軟質材料がシリコーンゴムまたはアクリレート共重合体である請求項１記載の硬質コンタクトレンズ用リング。
【請求項７】
請求項１または２記載の硬質コンタクトレンズ用リングを前記硬質コンタクトレンズの外周縁部に係合してなることを特徴とする硬質コンタクトレンズ複合物。
【請求項８】
前記リングが薬剤徐放手段を有してなる請求項７記載の硬質コンタクトレンズ複合物。
【請求項９】
前記薬剤徐放手段が、リングに薬剤を含浸させてなる請求項８記載の硬質コンタクトレンズ複合物。
【請求項１０】
前記薬剤徐放手段が、硬質コンタクトレンズの外周縁部とリングの内周部位とのあいだに薬剤を溜置しうるポケットからなる請求項８記載の硬質コンタクトレンズ複合物。
【請求項１１】
硬質コンタクトレンズの外周縁部に着脱自在に係合しうる断面がＵ字状のリングであって、該リングが軟質材料からなり、該リングの内周部位に前記硬質コンタクトレンズの外周縁部に相当する形状の溝が形成され、
前記溝の底部にポケットが形成されてなる
ことを特徴とする硬質コンタクトレンズ用リング。
【発明の詳細な説明】
【０００１】
【発明の属する技術分野】
本発明は硬質コンタクトレンズ用リングおよびそれを用いた硬質コンタクトレンズ複合物に関する。さらに詳しくは、硬質コンタクトレンズ、とくに多焦点硬質コンタクトレンズの外周縁部に固定し、該レンズの安定性および装用感を向上させる軟質または柔軟な硬質コンタクトレンズ用リングおよびそれを用いた硬質コンタクトレンズ複合物に関する。
【０００２】
【従来の技術および発明が解決しようとする課題】
従来より、硬質コンタクトレンズは、軟質コンタクトレンズに比べ、装用感が劣ることから硬質コンタクトレンズの装用を断念したり、３−９ステインなどの軽微な角膜上の問題から装用を中断する患者がいる。そこで、レンズの外周のみを軟質とすることで硬質コンタクトレンズの装用感を改善する技術が提案されている（特開平３−９２３３６号公報、特開平４−４５４２０号公報参照）。しかしながら、こういったレンズは製造が困難であるため、コスト高になる問題があり、さらには光学域が狭くなってしまうといった光学性の問題などがある。
【０００３】
他にたとえば、軟質の縁部を硬質コンタクトレンズに重合または接着などにより接合させるものがある（特開昭４９−１２０６５５号公報、実公昭４０−１４４４５号公報参照）。しかし、異種材料を接合させる製法は困難であり、それによるコストの問題や、光学性が劣るなどの問題などがある。また、他に軟質コンタクトレンズ基盤の外面上に硬質コンタクトレンズを着脱するものがある（実開昭４９−９５９５５号公報、実開昭５２−５２９５５号公報、実公昭５３−２２３３７号公報参照）。しかし、中心厚さが増大したり、基盤により酸素透過性が阻害され、充分な酸素透過性が期待できない。また、基盤でなく、中央を開口させ、そこに無機ガラスからなる光学部分を支持する複合コンタクトレンズがある（特開昭５７−１１６５２号公報参照）。しかし、使用される光学部分は既存の市販品を用いることができず、特殊な部品を別途製造しなければならないため、製造コストが高くなるという問題がある。
【０００４】
本発明は、叙上の事情に鑑み、容易に製造できるとともに、硬質コンタクトレンズの安定性および装用感を向上させることができる硬質コンタクトレンズ用リングおよびそれを用いた硬質コンタクトレンズ複合物を提供することを目的とする。
【０００５】
【課題を解決するための手段】
本発明の硬質コンタクトレンズ用リングは、硬質コンタクトレンズの外周縁部に着脱自在に係合しうるリングであって、該リングが軟質材料からなり、該リングの内周部位に前記硬質コンタクトレンズの外周縁部に相当する形状の溝が形成されてなることを特徴としている。
【０００６】
また、本発明の硬質コンタクトレンズ複合物は、前記硬質コンタクトレンズ用リングを前記硬質コンタクトレンズの外周縁部に係合してなることを特徴としている。
【０００７】
さらに、本発明の硬質コンタクトレンズ複合物は、前記硬質コンタクトレンズの外周縁部前面に係合する上部係合片の長さが該レンズの外周縁部後面に係合する下部係合片の長さよりも短くされてなることを特徴としている。
【０００８】
【発明の実施の形態】
以下、添付図面に基づいて本発明の硬質コンタクトレンズ用リングおよびそれを用いた硬質コンタクトレンズ複合物を説明する。
【０００９】
図１は本発明の硬質コンタクトレンズ用リングの一実施の形態を示す平面図、図２は図１におけるリングの側面図、図３は図１におけるリングの断面図、図４は本発明の硬質コンタクトレンズ用リングの他の実施の形態を示す断面図、図５は本発明の硬質コンタクトレンズ用リングのさらに他の実施の形態を示す平面図である。
【００１０】
図１〜３に示すように、硬質コンタクトレンズ用リング１は、その内周部位２に硬質コンタクトレンズＣＬの外周縁部３に相当するエッジ形状の溝４が形成されている。前記リング１は、円形状を呈しており、硬質コンタクトレンズＣＬの外周縁部３に着脱自在に係合できるようにされている。リング１の内径は着脱が容易にできるように、硬質コンタクトレンズＣＬの外形よりも少なくとも０．０５ｍｍ小さくされている。
【００１１】
前記リング１が着脱自在にされているため、レンズの清浄、消毒または取り替えが容易にできる。
【００１２】
本実施の形態における硬質コンタクトレンズは、通常市販されているものを用いることができ、たとえば角膜に充分な酸素を供給できるＤｋ／Ｌ（酸素透過係数／レンズ中心厚み（cm））が２０×１０-9〔(cm／sec)・(mlＯ2／(ml×mmHg))〕以上の硬質コンタクトレンズを用いるのが好ましい。
【００１３】
前記リング１の材質は、装用感を向上させるため、軟質材料であるのが好ましい。かかる軟質材料としては、ヒドロキシエチルアクリレート、ヒドロキシエチルメタクリレートなどのヒドロキシアルキルアクリレートまたはヒドロキシアルキルメタクリレート；Ｎ，Ｎ−ジメチルアクリルアミドなどのＮ，Ｎ−ジアルキルアクリルアミド、Ｎ，Ｎ−ジアルキルメタクリルアミド；Ｎ−ビニルピロリドンなどのＮ−ビニルラクタム類などの含水材から選ばれる１種以上の成分の共重合体、ヒアルロン酸ナトリウム、コンドロイチン硫酸などで架橋された、デキストラン、セルロース、デンプン、アラビアゴムなどの多糖類、シリコーンゴム、ウレタンゴム、アクリル共重合体またはメタクリル共重合体などの非含水材を用いることができる。
【００１４】
つぎに本実施の形態においては、リングが薬剤徐放手段を有するのが好ましい。かかる薬剤徐放手段としては、たとえばリングに薬剤をコーティングしたものや、リングに薬剤を含浸させてなるものとすることができる。含浸方法には、リングを直接薬剤に浸漬する方法、リングに薬剤を塗布する方法、前記軟質材料に薬剤を混入し、成形によりリングを製作する方法、または前記軟質材料に発泡剤を添加し、成形によりリングを製作したのち、真空により薬剤を含浸させる方法などがある。または図４に示すように、前記薬剤徐放手段として、硬質コンタクトレンズの外周縁部とリング１１の内周部位１２とのあいだ、すなわち溝１３の底部に形成される薬剤を溜置しうるポケット１４を用いることもできる。このポケット１４内の薬剤は、硬質コンタクトレンズとリングとのあいだの隙間から毛細管現象により角膜に滲み出るようにされている。
【００１５】
前記薬剤は、特開平８−１０４６３０号公報、特公昭５９−７６８４号公報または特表平７−５０３９７４号公報などに記載される一般的な眼科用薬剤、たとえば眼疾患（炎症など）および／または創傷の予防および治療や診断用および免疫抑制などに用いられる、涙液増加剤、細胞増殖促進剤、角膜厚の増加抑制剤、散瞳剤、縮瞳剤、抗生物質製剤、抗菌剤、抗ヒスタミン剤、抗炎症剤、抗コリン剤、抗緑内障化合物、駆虫化合物、抗ウイルス剤、炭酸脱水酵素阻害剤、抗真菌剤、麻酔剤、ペプチドまたはタンパク質などを用いることができる。
【００１６】
なお、図１〜４に示す実施の形態では、リング１、１１の断面がＵ字形状を呈し、前記レンズの外周縁部前面に係合する上部係合片５、１５と該レンズの外周縁部後面に係合する下部係合片６、１６との長さがほぼ等しくされているが、本発明においては、とくにこれに限定されるものではなく、たとえば図５に示すように、上部係合片１７の長さａが下部係合片１８の長さｂよりも短くすることもできる。たとえばｂ−ａ＝０．２〜２．０ｍｍ程度にするのが好ましい。かかる上部係合片１７の長さを下部係合片１８の長さよりも短くすることにより、リング２１は前記リング１、１１よりもさらに着脱を容易にすることができる。
【００１７】
つぎに本発明の硬質コンタクトレンズ用リングを用いた硬質コンタクトレンズ複合物を実施例に基づいて説明するが、本発明はかかる実施例のみに限定されるものではない。
【００１８】
実施例１
まず信越化学工業（株）製付加型シリコーンオイル  ＫＥ１０６を用いて図１〜２に示されるようなリングを成形により作製した。そしてこのリングを（株）メニコン製コンタクトレンズ  メニコンＥＸの外周縁部に固定した。
【００１９】
ついでかかる複合物を被検者の眼に装用した。
【００２０】
その結果、良好な安定性とソフトレンズのような良好な装用感がえられるとの報告を受けた。
【００２１】
実施例２
まず２−ヒドロキシエチルメタクリレート／Ｎ−ビニルピロリドン／エチレングリコールジメタクリレート＝９／１／０．１（重量比）を重合し、リング状の重合物を作製したのち、これを切削加工して図４に示すようなリングを作製した。このリングの水和処理後の含水率は４５％で柔軟な性状であった。そしてこのリングを前記実施例１と同じレンズに固定した。なお、このときのリングの着脱は容易に行なわれた。
【００２２】
ついでかかる複合物を被検者の眼に装用した。
【００２３】
その結果、良好な安定性とソフトレンズのような良好な装用感がえられるとの報告を受けた。
【００２４】
実施例３
前記実施例２と同様にしてリングを作製した。ついで５％塩酸カルテオロール水溶液の点眼液に１時間浸漬したのち、前記実施例１と同じレンズにリングを固定した。
【００２５】
つぎにかかる複合物を家兎の眼に装用し、３６時間後、その眼圧を測定した。
【００２６】
その結果、眼圧は装用前よりも低下しており、装用性が良好であり、薬剤の効果があることが確認された。
【００２７】
実施例４
前記実施例１と同様にしてリングを作製した。ついで５％塩酸カルテオロール水溶液の点眼液をリング内面のポケットに充填したのち、前記実施例１と同じレンズにリングを固定した。
【００２８】
つぎにかかる複合物を家兎の目に装用し、３６時間後、その眼圧を測定した。
【００２９】
その結果、眼圧は装用前よりも低下しており、装用性が良好であり、薬剤の効果があることが確認された。
【００３０】
【発明の効果】
以上説明したとおり、本発明によれば、リングは、市販の硬質コンタクトレンズに固定できるため、安価な製造コストで硬質コンタクトレンズの安定性および装用感を向上させることができる。またリングから薬剤を徐放させることにより、たとえば眼圧を低下させることができる。
【図面の簡単な説明】
【図１】本発明の硬質コンタクトレンズ用リングの一実施の形態を示す平面図である。
【図２】図１におけるレンズの側面図である。
【図３】図１におけるリングの断面図である。
【図４】本発明の硬質コンタクトレンズ用リングの他の実施の形態を示す断面図である。
【図５】本発明の硬質コンタクトレンズ用リングのさらに他の実施の形態を示す平面図である。
【符号の説明】
１、１１、２１  硬質コンタクトレンズ用リング
２、１２  内周部位
３  外周縁部
４、１３  溝
１４  ポケット
５、１５、１７  上部係合片
６、１６、１８  下部係合片
ＣＬ  硬質コンタクトレンズ
【図１】
0004049411.tif 000002
【図２】
0004049411.tif 000003
【図３】
0004049411.tif 000004
【図４】
0004049411.tif 000005
【図５】
0004049411.tif 000006